(57)【要約】【課題】ラベル（シール）を貼付し易く、ガラスの破損や視認性の低下を防止したサイトグラスを提供する。【解決手段】冷媒Ｃ等の流体の流入口２ａと流出口２ｂとを有し、内部を流体が流れる本体２と、流体中の水分を検出するモイスチャーインジケータ３と、本体に形成された（上部）開口２ｃを覆い、モイスチャーインジケータを本体の外部から視認するための透明部材（ガラス６）と、透明部材に貼付された孔のない透明シール（シール１０の透明部１０ａ）とを備えるサイトグラス１。透明シールを透明部材に貼付することで透明部材の表面を保護し、透明部材の破損を防止する。透明部材の表面に水蒸気、水垢、汚れが付着した場合でも容易に拭き取ることができ、視認性の低下を防止することもできる。透明シールの形状も本体に形成された開口と同様の形状となり、特に貼付する際に変形し易くなることもなく、貼付作業を容易に行うことができる。【選択図】図１
2015094567.tif 000002
【特許請求の範囲】
【請求項１】
流体の流入口と流出口とを有し、内部を前記流体が流れる本体と、
前記流体中の水分を検出するモイスチャーインジケータと、
前記本体に形成された開口を覆い、前記モイスチャーインジケータを前記本体の外部から視認するための透明部材と、
該透明部材に貼付された孔のない透明シールとを備えることを特徴とするサイトグラス。
【請求項２】
前記透明シールの外周に、前記モイスチャーインジケータが水分を検出する前後の色を表示した比較表示部を有することを特徴とする請求項１に記載のサイトグラス。
【請求項３】
前記透明シールは、前記透明部材よりも大きいことを特徴とする請求項１又は２に記載のサイトグラス。
【請求項４】
前記透明シールは、透明部材に交換可能に貼付されていることを特徴とする請求項１ないし３のいずれかに記載のサイトグラス。
【発明の詳細な説明】
【技術分野】
【０００１】
本発明は、サイトグラスに関し、特に、冷凍サイクルの冷媒中に存在する水分を検出するためなどに用いられるサイトグラスに関する。
【背景技術】
【０００２】
従来、冷凍サイクルの冷媒中に水分が存在すると圧縮機の故障に繋がる虞があるため、冷媒中の水分を検出するモイスチャーインジケータを収容したサイトグラスが用いられている。
【０００３】
上記サイトグラスは、例えば、図４に示すように、冷凍回路の配管３１、３２間に配置され、内部を冷媒Ｃが通過する本体２２と、冷媒Ｃ中の水分を検知するモイスチャーインジケータ２３と、モイスチャーインジケータ２３を挟持する第１及び第２支持部材２４、２５と、本体２２の上部開口２２ｃに装着され、本体２２とで第１支持部材２４を挟持するガラス取付部材２７と、ガラス取付部材２７に装着されたガラス２６とを備える。このサイトグラス２１によれば、ガラス６を介してモイスチャーインジケータ２３の上面の色を観察することで水分の存在を確認することができる。
【０００４】
また、上記ガラス２６の周囲（ガラス取付部材２７の上面）に貼付するラベルとして、特許文献１に記載のように、ガラス２６に対応する部分に孔が形成されたリング状のもの（円環状のシート）が意匠登録されている。ここで、このラベルのリング状の部分は、それぞれ「ＤＲＹ」と表示された部分と「ＷＥＴ」と表示された部分とに二分されていて、「ＤＲＹ」部には、冷媒Ｃ中に水分が存在しない場合のモイスチャーインジケータ２３の色（元々の色、例えば緑色）が着色され、「ＷＥＴ」部には、冷媒Ｃ中に水分が存在することをモイスチャーインジケータ２３が検知した場合に変化する色（例えば黄色）が着色されている。モイスチャーインジケータ２３の色と、上記「ＤＲＹ」部及び「ＷＥＴ」部に着色された色とを比較することにより、作業者が当該サイトグラス内を通過する冷媒に含まれる水分の存在を確認することを可能としている。
【先行技術文献】
【特許文献】
【０００５】
【特許文献１】意匠登録第１４３８７１２号公報
【発明の概要】
【発明が解決しようとする課題】
【０００６】
しかし、上記ラベルはリング状に形成されるため、台紙（剥離紙）から剥がす際に変形したり、あるいはサイトグラス２１のガラス２６の周囲に貼付する際に変形し、何度も貼り直しをしなければならなかったりと、貼付作業が容易ではないという問題があった。また、当該サイトグラスの内外の温度差が大きいとガラス２６の表面が水蒸気により曇ったり、あるいは水垢や汚れが付着するなどして視認性が低下するおそれもあった。
【０００７】
また、当該サイトグラスの設置時、メンテナンス時あるいはモイスチャーインジケータの視認時等に、ガラス２６を傷付けると、同様に視認性低下の懸念がある。
【０００８】
さらに、ガラス２６を覗き込む角度によっては、日光や電灯の光が反射して、同様にモイスチャーインジケータの視認性低下を招く。
【０００９】
そこで、本発明は、上記従来の技術における問題点に鑑みてなされたものであって、ラベル（シール）が貼付し易く、サイトグラスのガラスの視認性の低下を防止することを目的とする。
【課題を解決するための手段】
【００１０】
上記目的を達成するため、本発明のサイトグラスは、流体の流入口と流出口とを有し、内部を前記流体が流れる本体と、前記流体中の水分を検出するモイスチャーインジケータと、前記本体に形成された開口を覆い、前記モイスチャーインジケータを前記本体の外部から視認するための透明部材と、該透明部材に貼付された孔のない透明シールとを備えることを特徴とする。
【００１１】
本発明によれば、孔のない透明シールを透明部材に貼付することで透明部材の表面を保護し、透明部材の傷付きを防止することができる。また、透明部材の表面に水蒸気が付着して曇ったり、あるいは水垢や汚れが付着した場合でも容易に拭き取ることができ、視認性の低下を防止することもできる。
【００１２】
また、透明シールの表面が透明部材の表面よりも粗いものであれば、日光や電灯の光の反射による視認性の低下も低減させることができる。
【００１３】
さらに、本体に形成された開口を覆う透明部材に孔のない透明シールを貼付するため、透明シールを台紙から剥がす際に変形したり、あるいは貼付する際に変形して貼付位置のずれが生じて何度も貼りなおしたりすることもなく、貼付作業を確実にかつ容易に行うことができる。
【００１４】
上記サイトグラスにおいて、前記透明シールの外周に、前記モイスチャーインジケータが水分を検出する前後の色を表示した比較表示部を設けることができる。これにより、作業者が水分の存在を確認する上で判断を容易に行うことができる。
【００１５】
上記サイトグラスの透明シールを前記透明部材よりも大きく形成してもよく、これによって、透明部材の全面に確実に透明シールを貼付することができる。
【００１６】
また、透明シールの裏面に設けられた接着剤を透明部材から剥離可能なものにしておけば、該透明シールが傷ついたり汚れたりしても容易に交換可能であり、当該サイトグラスのメンテナンスが容易である。
【発明の効果】
【００１７】
以上のように、本発明のサイトグラスによれば、ラベル（シール）が貼付し易く、ガラスの破損や視認性の低下を防止することができる。
【図面の簡単な説明】
【００１８】
【図１】本発明にかかるサイトグラスの一実施の形態を示す上面図である。
【図２】図１のサイトグラスのＡ−Ａ線断面図である。
【図３】図１のサイトグラスの一部破断拡大図である。
【図４】従来のサイトグラスの一例を示す断面図である。
【発明を実施するための形態】
【００１９】
次に、本発明を実施するための形態について図面を参照しながら詳細に説明する。尚、以下の説明においては、本発明にかかるサイトグラスを、冷凍サイクルの冷媒中に存在する水分を検出するために用いる場合を例にとって説明する。
【００２０】
図１乃至図３は、本発明にかかるサイトグラスの一実施の形態を示し、このサイトグラス１は、内部２ｄを冷媒Ｃが通過する本体２と、冷媒Ｃ中の水分を検知するモイスチャーインジケータ３と、モイスチャーインジケータ３を挟持する第１及び第２支持部材４、５と、本体２の上部開口２ｃに装着され、本体２とで第１支持部材４を挟持するガラス取付部材７と、ガラス取付部材７に装着されたガラス６とを備え冷凍回路の配管１１、１２の間に配置される。
【００２１】
本体２の流入口２ａ及び流出口２ｂには、各々配管１１、１２が接続され、配管１１から配管１２に向かって冷媒Ｃが流れる。この本体２の上部は開口し、上部開口２ｃを覆うように、ガラス６がガラス取付部材７によって上方開口２ｃの周辺に保持される。
【００２２】
ガラス６及びガラス取付部材７の上面には、シール１０が貼付される。このシール１０は、可撓性を有する薄いプラスチックやビニール等の樹脂製のシートを用いて、孔のない円形に形成され、ガラス６の上面に対応する部分が透明な透明部１０ａを有し、さらに、透明部１０ａの周囲の、ガラス取付部材７の上面に対応する部分は、作業者が水分の存在を確認する上での判断を容易にするための比較表示部１０ｂとなっている。シール１０の裏面には透明な接着剤が塗布あるいは設けられていて、この接着剤を介してシール１０がガラス６及びガラス取付部材７の上面に貼付される。
【００２３】
シール１０には孔が設けられていないので、台紙から剥がしても変形することがなく、またガラス取付部材７の上面の所定位置に確実に貼付することができる。
【００２４】
透明部１０ａは、ガラス６を通してモイスチャーインジケータ３を外部から視認可能としながら、ガラス６の表面を保護し、ガラス６の破損を防止する。また、透明部１０ａを設けることで、ガラス６の表面が曇ったり、水垢や汚れが付着した場合でも容易に拭き取ることができるため、視認性の低下を防止することもできる。
【００２５】
また、シールの裏面に設けられた接着剤をガラス取付部材７から剥離可能なものにしておけば、該シール１０が傷ついたり汚れたりしても容易に交換可能であり、当該サイトグラスのメンテナンスが容易である。
【００２６】
比較表示部１０ｂの「ＷＥＴ」部分の色は、モイスチャーインジケータ３が冷媒Ｃ中に水分が存在することを検知した場合に変化する色に対応し、「ＤＲＹ」部分の色は、モイスチャーインジケータ３の元々の色に対応する。これにより、冷媒Ｃ中に水分が存在するか否かを容易に判断することができる。
【００２７】
モイスチャーインジケータ３は、円板状の紙等からなり、接触した冷媒Ｃ中の水分により変色し、モイスチャーインジケータ３の色をガラス６及びシール１０を通して視認することにより、水分の存在を確認することができる。
【００２８】
第１支持部材４は、モイスチャーインジケータ３を下方から支持するために備えられ、モイスチャーインジケータ３を収容するための凹部等を備える。また、第２支持部材５は、第１支持部材４の凹部に収容したモイスチャーインジケータ３を上方から押圧して挟持するために備えられる。両支持部材により、モイスチャーインジケータ３の上面が露出した状態で支持される。
【００２９】
特許文献１に示す従来のラベルは、リング状の比較表示部のみからなるため、ガラスの周囲に貼付しようとすると変形するなどして貼付し難かったが、上述のように、シール１０を透明部１０ａと比較表示部１０ｂからなる円形に形成することにより変形し難くなり、貼付作業が容易になる。尚、比較表示部１０ｂは必ずしも設ける必要はなく、透明部１０ａのみからなるシール１０としてもよい。また、比較表示部１０ｂを有するか否かにかかわらず、シール１０全体の形状は孔のあいたリング状や枠状でなければ、円形に限らず、楕円や、多角形状としてもよい。
【００３０】
尚、上記実施の形態においては、本発明にかかるサイトグラス１を、冷凍サイクルの冷媒中に存在する水分を検出するために用いる場合を例示したが、他の用途に用いられる流体中の水分の検出にも適用することもできる。
【符号の説明】
【００３１】
１  サイトグラス
２  本体
２ａ  流入口
２ｂ  流出口
２ｃ  上部開口
２ｄ  内部
３  モイスチャーインジケータ
４  第１支持部材
５  第２支持部材
６  ガラス
７  ガラス取付部材
１０  シール
１０ａ  透明部
１０ｂ  比較表示部
１１  配管
１２  配管
Ｃ  冷媒
【図１】
2015094567.tif 000003
【図２】
2015094567.tif 000004
【図３】
2015094567.tif 000005
【図４】
2015094567.tif 000006